(57)【要約】【課題】軽さと薄さに加え、外観上の問題点を解消することで、パイル織物からなる生地を用いた中衣や上着として用いられるシャツを提供すること。【解決手段】パイル織物からなる生地を用いて縫製されてなるシャツ１であって、パイル織物のパイルが、４０番手以上１００番手以下の綿糸により形成され、パイル高が２ｍｍ以下の片面パイル織物からなり、シャツの表面側のすべてに片面パイル織物の織地面が、内面側のすべてに片面パイル織物のパイル面が、それぞれ表れるように縫製されてなる。【選択図】図１
0003209606.tif 000002
【実用新案登録請求の範囲】
【請求項１】
パイル織物からなる生地を用いて縫製されてなるシャツであって、前記パイル織物のパイルが、４０番手以上１００番手以下の綿糸により形成され、パイル高が２ｍｍ以下の片面パイル織物からなり、シャツの表面側のすべてに片面パイル織物の織地面が、内面側のすべてに片面パイル織物のパイル面が、それぞれ表れるように縫製されてなることを特徴とするシャツ。
【請求項２】
前記片面パイル織物のパイル高が０．５〜１ｍｍであることを特徴とする請求項１に記載のシャツ。
【請求項３】
前記シャツが、ノーヨークのワイシャツであることを特徴とする請求項１又は２に記載のシャツ。
【考案の詳細な説明】
【技術分野】
【０００１】
本考案は、シャツに関し、特に、ワイシャツ、ブラウス、スクールシャツ等の中衣や上着として用いられるシャツに関するものである。
【背景技術】
【０００２】
ところで、ワイシャツ、ブラウス、スクールシャツ等の中衣や上着として用いられるシャツ、例えば、図２に示すような、ワイシャツ２は、その用途に応じて、ブロードクロス、ローン、ツイル、オックスフォード、サテン等の織布を生地として用いて縫製されている。
【０００３】
一方、吸水性、保温性、通気性、肌触り感等に優れた織物としてパイル織物がある。
パイル織物は、織物生地の経糸を２つに分け、一方を強く張り、もう一方を緩く張って、緩く張った方の経糸をループ状に弛ませることによってパイルを形成する。
このため、パイル織物は、嵩が高く（厚く）かつ重くなるため、タオル以外には、被服については、バスローブ等に汎用される程度であった。
【０００４】
なお、嵩を低いパイル織物を使用して、被服一般に広く用いる提案もなされている（例えば、特許文献１参照。）が、パイル織物の外観上の理由から、中衣や上着として用いられるシャツには実用化されたものはなかった。
【先行技術文献】
【特許文献】
【０００５】
【特許文献１】実用新案登録第３１９０８８４号公報
【考案の概要】
【考案が解決しようとする課題】
【０００６】
本考案は、上記従来のパイル織物を用いた被服の有する問題点に鑑み、軽さと薄さに加え、外観上の問題点を解消することで、パイル織物からなる生地を用いた中衣や上着として用いられるシャツを提供することを目的とする。
【課題を解決するための手段】
【０００７】
上記目的を達成するため、本考案のシャツは、パイル織物からなる生地を用いて縫製されてなるシャツであって、前記パイル織物のパイルが、４０番手以上１００番手以下の綿糸により形成され、パイル高が２ｍｍ以下、より具体的には、０．５〜１ｍｍの片面パイル織物からなり、シャツの表面側のすべてに片面パイル織物の織地面が、内面側のすべてに片面パイル織物のパイル面が、それぞれ表れるように縫製されてなることを特徴とする。
【０００８】
この場合において、前記シャツが、ノーヨークのワイシャツであることを特徴とする。
【考案の効果】
【０００９】
本考案のシャツによれば、前記パイル織物のパイルが、４０番手以上１００番手以下の綿糸により形成され、パイル高が２ｍｍ以下、より具体的には、０．５〜１ｍｍの片面パイル織物からなり、シャツの表面側のすべてに片面パイル織物の織地面が、内面側のすべてに片面パイル織物のパイル面が、それぞれ表れるように縫製されてなるようにすることにより、軽さと薄さに加え、外観上の問題点を解消することができ、パイル織物からなる生地を用いて、実用的な中衣や上着として用いられるシャツを提供することができる。
【００１０】
また、ノーヨークのワイシャツとすることにより、ヨークの抵抗をなくし、着心地の良いシャツを提供することができる。
【図面の簡単な説明】
【００１１】
【図１】本考案のシャツの一実施例を示し、（ａ）は正面図、（ｂ）は背面図である。
【図２】従来のワイシャツを示し、（ａ）は正面図、（ｂ）は背面図である。
【考案を実施するための形態】
【００１２】
以下、本考案のシャツの実施の形態を、図面に基づいて説明する。
【００１３】
図１に、本考案のシャツの一実施例を示す。
このシャツ１は、ノーヨークのワイシャツで、パイル織物からなる生地を用いて縫製されてなりなるシャツであって、パイル織物のパイルが、４０番手以上１００番手以下の綿糸により形成され、パイル高が２ｍｍ以下、より具体的には、０．５〜１ｍｍの片面パイル織物からなり、シャツの表面側（着用者が着用したときの外観側）のすべてに片面パイル織物の織地面が、内面側（着用者が着用したときに着用者に触れる側）のすべてに片面パイル織物のパイル面が、それぞれ表れるように縫製されてなるようにしたものである。
【００１４】
ここで、片面パイル織物は、通常のパイル織物と異なり、パイル織物の一方の面のみに経糸をループ状に弛ませることによってパイルを形成するようにしたもので、表面が平織状の織地面を呈し、裏面がパイル面を呈するようにしたものである。
【００１５】
片面パイル織物には、４０番手以上１００番手以下の綿糸を用いるようにしている。
４０番手未満（４０番手より太い）であると柔らかい肌触り感を実現できなくなり、１００番手超（１００番手より細い）であると、充分な保温性や吸水性が得られない。また、製織能力の点からも１００番手以下であることが好ましい。
上記範囲により、パイル高に対するパイル糸径の比が小さくなる。これにより、パイルが肌に触れたときに適度に変形し、柔らかい肌触り感を実現できる。一方、充分な保温性や吸水性も維持できる。
細番手であることにより、軽さと薄さを実現でき、生地が薄くなることで、縫製が容易になる。
【００１６】
片面パイル織物のパイル高は、２ｍｍ以下、より具体的には、０．５〜１ｍｍにするようにしている。
２ｍｍ超であると、軽さと薄さを実現できなくなり、０．５ｍｍ未満であると、パイルによる効果（吸水性、保温性、通気性等）が得られない。
上記範囲により、パイルによる効果を享有しながら、軽さと薄さを実現でき、生地が薄くなることで、縫製が容易になり、また、着用感が良くなる。
さらに、０．５〜１ｍｍであると効果は確実になる。
【００１７】
そして、シャツ１の表面側（着用者が着用したときの外観側）のすべてに片面パイル織物の織地面が、内面側（着用者が着用したときに着用者に触れる側）のすべてに片面パイル織物のパイル面が、それぞれ表れるようにするために、以下のとおり縫製するようにする。
シャツ１の上前見頃１１、下前見頃１２、後見頃１３、袖１７及びポケット１９は、図２に示す、通常のワイシャツ２の上前見頃２１、下前見頃２２、後見頃２３、袖２７及びポケット２９を縫製する場合と同様に、表面側に片面パイル織物の表面（平織状の織地面）が、裏面側に片面パイル織物の裏面（パイル面）がくるように縫製する。
シャツ１の衿１６は、図２に示す、通常のワイシャツ２の衿２６を縫製する場合と同様に、表裏面側に片面パイル織物の表面（平織状の織地面）がくるように２枚の生地を用いて、必要に応じて、芯地（図示省略。）を挟んで縫製する。
シャツ１の衿台１５及びカフス１８は、図２に示す、通常のワイシャツ２の衿台２５及びカフス２８を縫製する場合と異なり、表面側に片面パイル織物の表面（平織状の織地面）が、裏面側に片面パイル織物の裏面（パイル面）がくるように２枚の生地を用いて縫製する。
【００１８】
ところで、本実施例は、シャツ１を、ノーヨークのワイシャツとすることにより、ヨークの抵抗をなくし、着心地の良いシャツとなるようにしたが、図２に示す、ヨーク２４を有するワイシャツ２についても、上記実施例のシャツ１と同様に、表面側（着用者が着用したときの外観側）のすべてに片面パイル織物の織地面が、内面側（着用者が着用したときに着用者に触れる側）のすべてに片面パイル織物のパイル面が、それぞれ表れるようにすることができる。
この場合、ワイシャツ２のヨーク２４は、通常のワイシャツ２のヨーク２４を縫製する場合と異なり、表面側に片面パイル織物の表面（平織状の織地面）が、裏面側に片面パイル織物の裏面（パイル面）がくるように２枚の生地を用いて縫製する。
【００１９】
以上、本考案のシャツについて、その実施例に基づいて説明したが、本考案は上記実施例に記載した構成に限定されるものではなく、ワイシャツ以外の、例えば、ブラウス、スクールシャツ等の中衣や上着として用いられるシャツにも適用できる等、その趣旨を逸脱しない範囲において適宜その構成を変更することができるものである。
【産業上の利用可能性】
【００２０】
本考案のシャツは、軽さと薄さに加え、外観上の問題点を解消することで、パイル織物からなる生地を用いた中衣や上着として用いられるシャツに適用できることから、ワイシャツ（ビジネスシャツ、ドレスシャツ）、ブラウス、スクールシャツ等の中衣や上着として用いられるシャツの用途に好適に用いることができる。
【符号の説明】
【００２１】
１  シャツ（ノーヨークのワイシャツ）
１１  上前見頃
１２  下前見頃
１３  後見頃
１５  衿台
１６  衿
１７  袖
１８  カフス
１９  ポケット
２  ワイシャツ
２１  上前見頃
２２  下前見頃
２３  後見頃
２４  ヨーク
２５  衿台
２６  衿
２７  袖
２８  カフス
２９  ポケット
【図１】
0003209606.tif 000003
【図２】
0003209606.tif 000004